【手続補正書】
【提出日】平成16年12月16日(2004.12.16)
【手続補正１】
【補正対象書類名】明細書
【補正対象項目名】請求項９
【補正方法】変更
【補正の内容】
【請求項９】
デジタルの変調データに基づき周波数変調を行う周波数変調装置であって、
与えられた基準分周数データの分数部データと前記変調データとを加算したデータをシグマデルタ変調するシグマデルタ変調器と、
前記シグマデルタ変調器の出力と前記基準分周数データの整数部データとを加算したデータに基づき、与えられた基準信号を分周する基準分周器と、
発振周波数を制御できる電圧制御発振器と、
前記電圧制御発振器の出力を分周する分周器と、
前記基準分周器で分周された基準信号と前記分周器の出力との位相を比較する位相比較器と、
前記位相比較器の出力を平滑化し、前記電圧制御発振器に供給するループフィルタとを備え、
前記電圧制御発振器の出力は、前記シグマデルタ変調器の出力をアナログに変換した制御信号に基づき周波数変調されることを特徴とする、周波数変調装置。
【手続補正２】
【補正対象書類名】明細書
【補正対象項目名】請求項１９
【補正方法】変更
【補正の内容】
【請求項１９】
電圧制御発振器と分周器と位相比較器とループフィルタとを有する位相同期ループを用いて、デジタルの変調データに基づき周波数変調を行う周波数変調方法であって、
与えられた基準分周数データの分数部データと前記変調データとを加算したデータをシグマデルタ変調するステップと、
シグマデルタ変調された信号と前記基準分周数データの整数部データとを加算したデータに基づき、与えられた基準信号を分周し、前記位相同期ループに供給するステップと、
シグマデルタ変調された信号をアナログに変換した制御信号に基づき、前記電圧制御発振器の出力を周波数変調するステップとを備えた、周波数変調方法。
【手続補正３】
【補正対象書類名】明細書
【補正対象項目名】請求項２１
【補正方法】変更
【補正の内容】
【請求項２１】
デジタルの変調データに基づき周波数変調された信号を送受信する無線回路装置であって、
基準信号を発生させる基準発振器と、
前記基準信号に基づき動作する周波数変調器と、
電波を放射および受信するアンテナと、
前記周波数変調器の出力を増幅し、前記アンテナに出力する送信増幅器と、
前記アンテナで受信した信号を処理する受信回路とを備え、
前記周波数変調器は、
与えられた基準分周数データの分数部データと前記変調データとを加算したデータをシグマデルタ変調するシグマデルタ変調器と、
前記シグマデルタ変調器の出力と前記基準分周数データの整数部データとを加算したデータに基づき、前記基準信号を分周する基準分周器と、
発振周波数を制御できる電圧制御発振器と、
前記電圧制御発振器の出力を分周する分周器と、
前記基準分周器で分周された基準信号と前記分周器の出力との位相を比較する位相比較器と、
前記位相比較器の出力を平滑化し、前記電圧制御発振器に供給するループフィルタとを備え、
前記電圧制御発振器の出力は、前記シグマデルタ変調器の出力をアナログに変換した制御信号に基づき周波数変調され、
データ送信時には、
前記周波数変調器は、送信データに基づき周波数変調を行うように制御され、
データ受信時には、
前記周波数変調器は、無変調信号を出力するように制御され、
前記受信回路は、前記周波数変調器から出力された無変調信号をローカル信号として、前記アンテナで受信した信号を処理することを特徴とする、無線回路装置。
【手続補正４】
【補正対象書類名】明細書
【補正対象項目名】００１８
【補正方法】変更
【補正の内容】
【００１８】
第９の発明は、デジタルの変調データに基づき周波数変調を行う周波数変調装置であって、
与えられた基準分周数データの分数部データと変調データとを加算したデータをシグマデルタ変調するシグマデルタ変調器と、
シグマデルタ変調器の出力と基準分周数データの整数部データとを加算したデータに基づき、与えられた基準信号を分周する基準分周器と、
発振周波数を制御できる電圧制御発振器と、
電圧制御発振器の出力を分周する分周器と、
基準分周器で分周された基準信号と分周器の出力との位相を比較する位相比較器と、
位相比較器の出力を平滑化し、電圧制御発振器に供給するループフィルタとを備え、
電圧制御発振器の出力は、シグマデルタ変調器の出力をアナログに変換した制御信号に基づき周波数変調されることを特徴とする。
このような第９の発明によれば、デジタルの変調データに基づき、基準信号源による周波数変調と電圧制御発振器による周波数変調とが同時に実行される。出力信号の変調度は、２種類の周波数変調の変調特性を加算したものとなるため、ループ帯域幅より広い帯域幅に亘って平坦な周波数変調特性を得ることができる。したがって、周波数変調機能を持たない基準信号源を使用でき、かつ、デジタルの変調信号に基づき広帯域の周波数変調を行うことができる。
【手続補正５】
【補正対象書類名】明細書
【補正対象項目名】００２８
【補正方法】変更
【補正の内容】
【００２８】
第１９の発明は、電圧制御発振器と分周器と位相比較器とループフィルタとを有する位相同期ループを用いて、デジタルの変調データに基づき周波数変調を行う周波数変調方法であって、
与えられた基準分周数データの分数部データと変調データとを加算したデータをシグマデルタ変調するステップと、
シグマデルタ変調された信号と基準分周数データの整数部データとを加算したデータに基づき、与えられた基準信号を分周し、位相同期ループに供給するステップと、
シグマデルタ変調された信号をアナログに変換した制御信号に基づき、電圧制御発振器の出力を周波数変調するステップとを備える。
このような第１８および第１９の発明によれば、デジタルの変調データに基づき、可変分周器（または基準信号源）による周波数変調と電圧制御発振器による周波数変調とが同時に実行される。出力信号の変調度は、２種類の周波数変調の変調特性を加算したものとなるため、ループ帯域幅より広い帯域幅に亘って平坦な周波数変調特性を得ることができる。したがって、周波数変調機能を持たない基準信号源を使用でき、かつ、デジタルの変調信号に基づき広帯域の周波数変調を行うことができる。
【手続補正６】
【補正対象書類名】明細書
【補正対象項目名】００３０
【補正方法】変更
【補正の内容】
【００３０】
第２１の発明は、デジタルの変調データに基づき周波数変調された信号を送受信する無線回路装置であって、
基準信号を発生させる基準発振器と、
基準信号に基づき動作する周波数変調器と、
電波を放射および受信するアンテナと、
周波数変調器の出力を増幅し、アンテナに出力する送信増幅器と、
アンテナで受信した信号を処理する受信回路とを備え、
周波数変調器は、
与えられた基準分周数データの分数部データと変調データとを加算したデータをシグマデルタ変調するシグマデルタ変調器と、
シグマデルタ変調器の出力と基準分周数データの整数部データとを加算したデータに基づき、基準信号を分周する基準分周器と、
発振周波数を制御できる電圧制御発振器と、
電圧制御発振器の出力を分周する分周器と、
基準分周器で分周された基準信号と分周器の出力との位相を比較する位相比較器と、
位相比較器の出力を平滑化し、電圧制御発振器に供給するループフィルタとを備え、
電圧制御発振器の出力は、シグマデルタ変調器の出力をアナログに変換した制御信号に基づき周波数変調され、
データ送信時には、
周波数変調器は、送信データに基づき周波数変調を行うように制御され、
データ受信時には、
周波数変調器は、無変調信号を出力するように制御され、
受信回路は、周波数変調器から出力された無変調信号をローカル信号として、アンテナで受信した信号を処理することを特徴とする。
このような第２０および第２１の発明によれば、アナログの変調信号を与えなくても、周波数チャンネルを指定するためのデジタルデータと、周波数変調を行うためのデジタル変調データを与えることにより、無線回路装置を実現することができる。
【手続補正７】
【補正対象書類名】明細書
【補正対象項目名】００３２
【補正方法】変更
【補正の内容】
【００３２】
電圧制御発振器１、可変分周器２、位相比較器３、および、ループフィルタ４は、以下に示す位相同期ループ（ＰＬＬ）を形成している。可変分周器２は、与えられた実効分周数データ１３に従い、電圧制御発振器１の出力信号を分周する。位相比較器３は、可変分周器２の出力信号と基準信号との位相を比較する。位相比較器３の出力信号は、ループフィルタ４を通過して電圧制御発振器１の周波数制御端子に入力される。電圧制御発振器１は、ループフィルタ４の出力信号に応じた周波数で発振する。このＰＬＬは、電圧制御発振器１の出力信号の中心周波数が所定値となるようにフィードバック制御を行う。
【手続補正８】
【補正対象書類名】明細書
【補正対象項目名】００３３
【補正方法】変更
【補正の内容】
【００３３】
可変分周器２に与えられる実効分周数データ１３は、以下のようにして算出される。可変分周器２における分周数データは、外部から、整数部データＭ１と分数部データＭ２とからなる組の形式で与えられる。整数部データＭ１は分周数データの整数部を表し、分数部データＭ２は分周数データの分数部を表す。加算器１１は、分数部データＭ２とデジタルの変調データＸとを加算する。シグマデルタ変調器５は、可変分周器２の出力信号をクロックとして、加算器１１の出力データをシグマデルタ変調する。シグマデルタ変調器５の出力信号は、加算器１２とＤ／Ａ変換器６とに入力される。加算器１２は、シグマデルタ変調器５の出力信号と整数部データＭ１とを加算する。加算器１２の出力データが、実効分周数データ１３となる。
【手続補正９】
【補正対象書類名】明細書
【補正対象項目名】００５３
【補正方法】変更
【補正の内容】
【００５３】
なお、本実施形態に係る周波数変調装置については、以下に示す各種の変形例を構成することができる。まず、図１に示す周波数変調装置では、制御信号１４は、電圧制御発振器１の周波数変調端子に入力されることとした。これに代えて、周波数変調端子を持たない電圧制御発振器１を用いる場合には、図７に示すように、制御信号１４をループフィルタ４と電圧制御発振器１との接続点に結合することとしてもよい。図７に示す周波数変調装置は、図１に示す周波数変調装置と同様に動作し、同様の効果を奏する。また、シグマデルタ変調器５のクロックとして、外部から供給される基準信号を用いてもよい。また、周波数変調端子の入力周波数が変化したときには、周波数制御端子の入力周波数が変化したときより、出力周波数の変化が小さい特性を有する電圧制御発振器１を用いることにより、変調の精度を向上させることができる。